(57)【要約】【課題】  本発明の課題は、扱室の始端（前部）側から多量に漏下する脱穀処理物のふるい選別並びに揺動移送を効果的に行なわしめ、選別性能の向上を図ることを目的とする。【解決手段】  本発明は、扱室の受網下方にあって前後方向に揺動し受入れた被処理物を後方に向けて揺動移送する移送棚を上下２段に配設し、扱室の前部側から落下する被処理物は下側の移送棚上に受入れ、扱室の後部側から落下する被処理物は上側の移送棚上に受入れるようにしたものにおいて、上側の移送棚の前方には被処理物をふるい選別する選別網を設けると共に、この選別網から移送棚にわたって被処理物を分散案内するガイド板を設けてあることを特徴とする。【選択図】        図２
2005151902.tif 000002
【特許請求の範囲】
【請求項１】
扱室の受網下方にあって前後方向に揺動し受入れた被処理物を後方に向けて揺動移送する移送棚を上下２段に配設し、扱室の前部側から落下する被処理物は下側の移送棚上に受入れ、扱室の後部側から落下する被処理物は上側の移送棚上に受入れるようにしたものにおいて、上側の移送棚の前方には被処理物をふるい選別する選別網を設けると共に、この選別網から移送棚にわたって被処理物を分散案内するガイド板を設けてあることを特徴とする脱穀装置。
【請求項２】
扱室の受網下方にあって前後方向に揺動し受入れた被処理物を後方に向けて揺動移送する移送棚を上下２段に配設し、扱室の前部側から落下する被処理物は下側の移送棚上に受入れ、扱室の後部側から落下する被処理物は上側の移送棚上に受入れるようにしたものにおいて、上側の移送棚の前方には選別シ−ブを設け、この選別シ−ブは後方のチャフシ−ブよりも間隔を狭くしてあることを特徴とする脱穀装置。
【請求項３】
請求項２において、後方のチャフシ−ブの揺動開閉動作に連動して前方の選別シ−ブが揺動開閉するよう構成してあることを特徴とする脱穀装置。
【請求項４】
請求項３において、前方の選別シ−ブの開度量を変更可能に構成してあることを特徴とする脱穀装置。
【発明の詳細な説明】
【技術分野】
【０００１】
本発明は、脱穀処理された被処理物を揺動移送しながら選別する揺動選別装置を備えた脱穀装置に関し、農業機械の技術分野に属する。
【背景技術】
【０００２】
従来、扱室の受網下方にあって前後方向に揺動し受入れた被処理物を後方に向けて揺動移送する移送棚を上下２段に配設し、扱室の前部側から落下する被処理物は下側の移送棚上に受入れ、扱室の後部側から落下する被処理物は上側の移送棚上に受入れて揺動移送しながら揺動選別する構成のものがある（例えば、特許文献１参照。）。
【特許文献１】特開平６−１６９６３３号公報
【発明の開示】
【発明が解決しようとする課題】
【０００３】
扱室の始端（前部）側からは多量の脱穀粒を含む被処理物が受網から漏下する。そこで、上記従来のものでは、この多量の被処理物を受けて処理するのは下側の移送棚によるため、これにかかる負担が大きくなり、充分な分散効果が得られず、以後のふるい選別にバラツキが生じ、精度の高い選別効果が期待できない問題があった。
【０００４】
本発明は、上記問題点を解消することを目的とし、特に、上側の移送棚の前方には扱室の始端側からの被処理物を受けて予備選別する予備選別手段を設け、この予備選別手段を通して粗選別された被処理物を下側の移送棚上へ落下させることによって処理するようにしたもので、揺動移送に負担がかからず、充分な分散効果が得られ、精度の高い選別効果が期待できるものとなった。
【０００５】
手予備選別手段を設け、揺動移送棚上での処理物の分散効果を高め、グレンシ−ブ上でのふるい選別を効果的に行なわしめ、選別性能の向上を図ることを目的とする。
【課題を解決するための手段】
【０００６】
本発明は、上述した課題を解決するために、次の如き技術手段を講じた。すなわち、請求項１記載の本発明は、扱室の受網下方にあって前後方向に揺動し受入れた被処理物を後方に向けて揺動移送する移送棚を上下２段に配設し、扱室の前部側から落下する被処理物は下側の移送棚上に受入れ、扱室の後部側から落下する被処理物は上側の移送棚上に受入れるようにしたものにおいて、上側の移送棚の前方には被処理物をふるい選別する選別網を設けると共に、この選別網から移送棚にわたって被処理物を分散案内するガイド板を設けてあることを特徴とする。
【０００７】
請求項１の作用は、扱室の前部側から漏下する被処理物は、上側移送棚前方の選別網上に受けられて粗選別された後、この選別網を抜け落ちるものと抜け落ちないものとに別れ、抜け落ちる被処理物は下方の下側移送棚上に落下して後方のグレンシ−ブ上に向けて揺動移送され、選別網を抜けきれない被処理物はそのまま後方のチャフシ−ブに向けて揺動移送される。また、扱室の後部側から漏下する被処理物は上側移送棚上に受けられ、後方のチャフシ−ブに向けて揺動移送される。
【０００８】
扱室の前部側で多量に漏下する被処理物は、下側の移送棚上に落下する前に上側移送棚前方の選別網によって予備選別されるので、下側移送棚上での揺動移送に負担がかからず以後のふるい選別が効果的に行われ、また、選別網上から上側移送棚上にわたっては被処理物が案内板によって棚幅方向に分散されることになるので、この選別網によるふるい選別はもとより、以後のチャフシ−ブ上でのふるい選別においても良好に精度よく行われることになる。
【０００９】
請求項２記載の本発明は、扱室の受網下方にあって前後方向に揺動し受入れた被処理物を後方に向けて揺動移送する移送棚を上下２段に配設し、扱室の前部側から落下する被処理物は下側の移送棚上に受入れ、扱室の後部側から落下する被処理物は上側の移送棚上に受入れるようにしたものにおいて、上側の移送棚の前方には選別シ−ブを設け、この選別シ−ブは後方のチャフシ−ブよりも間隔を狭くしてあることを特徴とする。
【００１０】
請求項２の作用は、扱室始端側での脱穀処理物の条件に適応し、選別シ−ブからのわら屑の漏下を少なくでき、１番選別性能が向上する。
請求項３記載の本発明は、請求項２において、後方のチャフシ−ブの揺動開閉動作に連動して前方の選別シ−ブが揺動開閉するよう構成してあることを特徴とする。
【００１１】
請求項３の作用は、請求項２の作用とともに選別シ−ブがチャフシ−ブと連動して揺動開閉する構成であるから、構成が簡単でありながら、処理物量に応じた選別が可能で選別性能が向上する。
【００１２】
請求項４記載の本発明は、請求項３において、前方の選別シ−ブの開度量を変更可能に構成してあることを特徴とする。
請求項４の作用は、請求項３の作用とともに選別シ−ブの開度を脱穀処理物の種類（稲、麦等）や乾湿度合、脱穀処理量などの条件に応じた開度に適宜変更調節することができる。
【発明の効果】
【００１３】
要するに、請求項１の本発明によれば、上側移送棚前方の選別網を通して粗選別された被処理物を下側の移送棚上へ落下させることによって処理するようにしたので、揺動移送に負担がかからず、充分な分散効果が得られ、精度の高い選別効果が期待できる。しかも、選別網から上側移送棚上にわたっては案内板によって充分な分散効果が得られ、選別性能の向上を図ることができる。
【００１４】
また、請求項２の本発明によれば、選別シ−ブの開口間隔をチャフシ−ブのそれよりも狭くしてあるので、扱室始端側での脱穀処理物の条件に適応し、選別シ−ブからのわら屑の漏下を少なくできて、１番選別性能の向上を図ることができる。
【００１５】
更に、請求項３の本発明によれば、請求項２の発明効果を奏するものでありながら、選別シ−ブがチャフシ−ブと連動して揺動開閉するものであるから、構成を簡単にし、しかも、処理物量に応じた選別が可能で選別性能が向上する。
【００１６】
請求項４の発明によれば、請求項３の発明効果を奏するものでありながら、選別シ−ブの開度を適宜変更調節できるので、脱穀処理物の条件適応性が向上する。
【発明を実施するための最良の形態】
【００１７】
以下、本発明の実施例を図面に基づいて具体的に説明する。
まず、図１に示すコンバインの構成について述べる。
走行クロ−ラ１を具備する車体２上には、前部に昇降可能な刈取部３を、後部に脱穀装置（脱穀機）４を搭載している。刈取部３の横側部には運転部５が設置され、その後方にはグレンタンク６が装備されている。
【００１８】
つぎに、脱穀装置４の構成につき説明する。扱胴７を内装軸架した扱室８の下半周部に沿って受網９を張設している。１０は扱室８の上方部を覆う扱胴カバ−であって、扱胴軸方向に平行な軸芯回りに揺動開閉可能に構成している。
【００１９】
扱室８の扱口側には穀稈を挟持搬送するフイ−ドチエン１１とこの上側に対設する挟持レ−ル１１ａを配設している。この挟持レ−ル１１ａは扱胴カバ−１０側に装着して該カバ−と共に揺動開閉する構成である。扱室８のフイ−ドチエン１１側とは反対側一側には２番処理胴１２を内装軸架した２番処理室を並設している。また、前記２番処理胴１２の後方にはこれと同一軸芯上において排塵処理胴１３を内装軸架した排塵処理室を構成して設けている。
【００２０】
扱室８の下側には揺動可能に架設した揺動選別装置１６を設け、更に、その下方には選別方向の上手側から順に、唐箕１７と、１番移送螺旋１８と、２番移送螺旋１９と、その上方に吸引排塵フアン２０を設けて選別室２１を構成している。なお、１番揚穀装置１８Ａは１番移送螺旋１８で回収された穀物を揚送してグレンタンク６内に収容する。また、２番揚穀装置１９Ａは２番移送螺旋１９で回収された２番処理物を２番処理胴１２の室内へ還元するようになっている。
【００２１】
そして、揺動選別装置１６は、扱室からの脱穀処理後の処理物、つまり、被処理物を受け入れて揺動移送しながらふるい選別する構成であり、選別方向上手側から上側移送棚２２、チャフシ−ブ２３、ストロ−ラック２４の順に配置し、且つ、前記上側移送棚２２の前方下方に下側移送棚２５を、前記チャフシ−ブ２３の下方にグレンシ−ブ２６を配置して一体的に設け、前記唐箕１７及び吸引排塵フアン２０による選別風と揺動との共同作用によって扱室８から漏下してきた処理物を受け入れて揺動移送しながらふるい選別処理するように構成している。
【００２２】
各移送棚２２，２５は上下２段に配置してあり、下側移送棚２５は、主として扱室の前部側からの脱穀処理物を受け入れて処理する位置に配置すると共に、これより後方のグレンシ−ブ２６に連接させた構成としている。また、上側移送棚２２は、扱室の後部側から落下する脱穀処理物を受け入れて処理する位置に配置してあり、後方のチャフシ−ブ２３に連接させている。
【００２３】
上側移送棚２２の前方には、図２及び図３に示す実施例では下側移送棚２５の上方位置にあって扱室前部側からの脱穀処理物を受け入れて予備選別する選別網２７を連設している。そして、この選別網２７の網目から抜け落ちる被処理物は下方の下側移送棚２５上に受けられ、該選別網２７の網目を抜けきらない被処理物は案内板２８によって分散案内されながら上側移送棚２２にて後方に揺動移送されるようになっている。なお、前記案内板２８は、選別網２７側から上側移送棚２２上にわたって設けられ、処理物を棚幅方向右側（扱室の穀稈穂先側）から左側（扱室の穀稈株元側）斜め後方に向かって分散案内するよう傾斜状態に設けられている。前記チャフシ−ブ２３は、複数枚の帯板状のシ−ブ板２３ａを等間隔に配置して上部を枢着し、下部が円弧状の長孔に沿って揺動開閉するようにして相互の選別間隔の開度調節ができる構成としている。２９は各シ−ブ板２３ａを一斉に揺動開閉作動させる作動杆であり、操作ワイヤ−３０に連結し、モ−タ等で自動操作或は手動操作により開閉作動させる構成としている。３１はシ−ブ板２３ａを開き側に弾性付勢してある張圧スプリングである。
【００２４】
図４に示す実施例は、上側移送棚２２の前方に選別シ−ブ３２を設けた構成であり、この選別シ−ブ３２は、前記チャフシ−ブ２３の構成と同様に、複数枚の帯板状のシ−ブ板３２ａを等間隔に配置して上部を枢着し、下部が円弧状の長孔に沿って揺動開閉可能にして相互の選別間隔の開度調節ができる構成としている。そして、各シ−ブ板３２ａ，３２ａ…のそれぞれの間隔は、前記チャフシ−ブ２３のそれよりも狭くしてあり、しかも、各シ−ブ板３２ａ，３２ａ…が前記チャフシ−ブ２３の開閉作動に連動して開閉するようこの作動杆３４と、前記チャフシ−ブ２３の作動杆２９とを連動杆３５でもって連結している。また、この実施例では、選別シ−ブ３２の開度を被処理物の条件によって適宜変更調節できる構成としている。例えば、連動杆３５に設けた調節穴３６ａ，３６ｂ，３６ｃのうち、調節穴３６ｂを作動杆２９に取り付けたときの開度を標準とすれば、調節穴３６ａを作動杆２９に取り付けると開度大となり、また、逆に調節穴３６ｃを作動杆２９に取り付けると開度小となるよう開度変更調節可能に構成している。
【００２５】
なお、麦収穫作業では、選別シ−ブ３２の開度よりチャフシ−ブ２３の開度を大きく変更調節することによって稈切れ等の混入を防止することができ、また、濡れ刈りや青刈り等では選別シ−ブ３２の開度をチャフシ−ブ２３のそれよりも大きくするようにすれば、選別シ−ブでの濾過を促進でき、ロスの低減を図ることができる。
【００２６】
以上のように構成された刈取脱穀装置についてその作用を説明する。
まず、圃場の穀稈は、前進する機体の前部位置にある刈取部３によって刈取られ、上方に搬送されて、フィ−ドチエン１１に受け継がれてのち脱穀装置４に供給される。そして、穀稈は、株元をフィ−ドチエン１１に挾持されて搬送されながら穂先部分が扱室８内に供給されて、回転している扱胴７により脱穀作用を受ける。このようにして処理された脱穀処理物は、回転している扱胴７によって持ち回りされて、更に、脱粒処理作用を受け、受網９から漏下して選別室２１の揺動選別装置１６に達し揺動選別作用を受ける。
【００２７】
この場合、扱室の前部側で脱穀処理された処理物は、上側移送棚２２前方の選別網２７（又は選別シ−ブ３２）上に落下してふるい選別され、この選別網２７の網目から漏下するものは下方の下側移送棚２５上に落下し、選別網２７の網目を抜けきらない処理物及び扱室の後部側から落下する処理物は上側移送棚２２を介して揺動移送されてチャフシ−ブ２３に達し、チャフシ−ブ２３を構成している複数枚のシ−ブ板２３ａ…相互間にある選別間隔を漏下しながら風選作用を受ける。また、下側移送棚２５上に落下した処理物は、該移送棚２５により後方へ揺動移送されてグレンシ−ブ２６に達し、該グレンシ−ブ２６によりふるい選別されこの網目を漏下しながら風選作用を受ける。このとき、唐箕１７は、起風した選別風を選別室２１内に吹き込みながら選別し、吸引排塵フアン２０による吸引作用によって選別される。
【００２８】
このようにして、処理物は、揺動選別作用と選別風による風選作用との共同作用を受けながら選別されて、１番物（精粒）、２番物、排塵物とに選別分離され、１番物はグレンシ−ブ２６にてふるい選別された後、１番移送螺旋１８の受樋内に落下して収集されて機外に取り出され、２番物は２番移送螺旋１９から２番揚穀装置１９Ａによって揚穀されて２番処理胴１２の室内に還元され、そして、２番処理胴１２によって２番処理作用を受け、排塵物は吸引排塵フアン２０によって吸塵され機外に排出されると共に、ストロ−ラック２４に達したワラ屑は棚先から機外に排出される。
【００２９】
一方、選別室２１に漏下せず扱室８に残留して持ち回られている未処理物は、排塵処理胴１３の室内に送り込まれ、排塵処理胴１３による再処理を受け、選別室２１の後部である排塵部分に落下して前述の各処理物と合流して選別処理されるものである。
【００３０】
次に、別実施例１（図６及び図７）について説明する。
下側移送棚２５とグレンシ−ブ２６との間における処理物移送経路中に処理物を拡散処理する拡散処理胴４１を選別室２１の左右側板４０に架設している。この拡散処理胴４１によれば、移送棚上の処理物をグレンシ−ブ２６に拡散して搬送できるので、選別性能が向上する。また、拡散処理胴４１は矢印（イ）方向に回転させるようにすれば、グレンシ−ブ２６側への送り効果を促進でき効率的である。さらに、拡散処理胴４１の後方に抵抗網４２を設けておくと、処理作用が増して選別精度をより高めることができる。揺動選別ケ−ス１６Ａに形成された拡散処理胴軸４１ａに対する長孔４３は、弾性変位可能なシ−ル４４によって閉塞してあり、前記揺動選別ケ−ス１６Ａ側に付設している。
【００３１】
上側移送棚２２上にあって、扱室８後部の排塵口４５に対応する部位に分離拡散胴４６を設け、上側移送棚２２によって揺動移送されるわら屑や排塵口４５からの排塵物を分離拡散処理しながらチャフシ−ブ２３側へ強制送りするように構成している。この分離拡散胴によれば、わら屑の分離拡散効果を高め、上記拡散処理胴４１と同様に矢印（イ）方向に回転させれば送り効果を促進でき、排塵口４５近くでのわら屑の滞留、詰りをなくし、ひいてはチャフシ−ブ２３上での選別性能の向上を図ることができる。
【００３２】
図８、図９に示す別実施例２について説明すると、扱室８の前部側近くの上方で奥側（供給される穀稈の穂先側）位置に２番還元用空間部５０を設けて、２番還元装置５１からの２番物を還元するように構成している。この２番還元用空間部５０によって単粒の多い部分の抵抗値を下げて脱ぷの発生を防ぎ扱胴消費馬力を抑制することができる。２番還元装置５１の２番出口と空間部５０との間に壁板５２を設けることにより、２番還元物の扱室内前方への混入を防ぎ選別を良くするように構成している。また、この２番還元用空間部５０は、空間拡縮変更板５３の支点Ｐ回りの揺動変位によって拡縮変更できる構成としている。この空間部の拡縮変更は作物条件により抵抗値を変更し条件適応性を向上させることにある。
【００３３】
なお、前記２番還元用空間部の拡縮変更を扱室内の排塵案内板５４による排塵調節と連動することにより、扱室内でのゴトゴト音や枝梗の発生の解消に大きな効果を発揮できる。
【００３４】
図１０〜図１２に示す別実施例３について説明する。
扱室８の横側一側には２番処理装置として従来の２番処理胴に代わる処理歯６０を植設した無端処理ベルト６１を前後方向の軸芯回りに架設した上下一対のロ−ル６２，６２間に券回して上下方向に回転するよう構成して設け、そして、２番還元装置１９Ａからの２番物を正面視で左回転する無端処理ベルト６１の上昇回転側に還元して処理するように構成している。この無端ベルト方式の２番処理装置によれば、作用面積が拡大するので処理能力を高めることができる。
【００３５】
無端処理ベルト６１により脱粒処理された穀物は下方の選別室内に漏下させるようにし、また、長いわら屑などは、排出樋６３を介して機外に排出できるように構成することもできる。無端処理ベルト６１の表面に植設すた処理歯６０において、該処理ベルト後方部の処理歯群６０ｂを密にし、前方部の処理歯群６０ａを後方部のそれより粗く配置することによって単粒部の作用を少なくし脱ぷの発生を防止するようにしている。
【００３６】
なお、前記無端処理ベルト６１は、図１３及び図１４に示すように、上下方向の軸芯回りに架設した前後一対のロ−ル６２ａ，６２ｂ間に券回して前後方向に回転する構成としてもよい。
【００３７】
図１５〜図１７に示す別実施例４について説明する。
揺動選別装置１６の前方に扱胴軸と直交する横方向に直交処理胴６５を配設している。この処理室６６内で処理された処理物は揺動選別装置１６の揺動移送棚２２上へ送って後方のチャフシ−ブ２３側へ揺動移送するようになっている。直交処理胴６５の前方には加速フアン６７を設け、このフアン６７による風力によって処理室６６内から揺動移送棚２２への処理物搬送作用を助長するように構成している。扱室８の横側一側には排塵処理胴１３と同一軸芯上において搬送ラセン６８を並設し、２番還元装置５１からの２番物を受け入れて前方に搬送し、直交処理胴６５の室内へ落下供給すべく構成している。
【００３８】
また、図１８及び図１９に示す実施例は、扱室の一側に配置する２番処理胴７０を上下方向に立設すると共に、前後に２本併設した構成としている。これら２本の処理胴７０，７０を内装軸架する各処理室７１，７１内には２番還元装置５１からの２番物を上方から分散供給するようにし、各処理胴７０，７０の同方向の回転によって下方に送りながら処理する構成としている。前方側処理胴の回転速度は後方側のそれよりも遅くしてあり、しかも、処理歯の植設密度は後方側より前方側を粗くしている。かかる構成によれば、処理能力が向上するばかりでなく、単粒の率により作用量を変更でき選別性能の向上が図れる。
【００３９】
なお、２番処理胴７０，７０によって処理されたものは下方の揺動選別装置１６の移送棚２２上に落下し所定位置まで揺動移送された後、選別処理されるようになっている。
【図面の簡単な説明】
【００４０】
【図１】コンバインの側面図
【図２】脱穀機の切断側面図
【図３】同上要部の平面図
【図４】脱穀機の切断側面図
【図５】揺動機構一部の側面図
【図６】脱穀機要部の切断側面図
【図７】同上要部の一部破断せる平面図
【図８】脱穀機の側面図
【図９】同上正面図
【図１０】脱穀機の側面図
【図１１】同上平面図
【図１２】同上要部の正面図
【図１３】脱穀機の側面図
【図１４】同上平面図
【図１５】脱穀機の側面図
【図１６】同上平面図
【図１７】同上要部の側面図
【図１８】脱穀機の側面図
【図１９】同上平面図
【符号の説明】
【００４１】
４    脱穀装置（脱穀機）          ７    扱胴
８    扱室                        ９    受網
１６    揺動選別装置              ２２    上側移送棚
２３    チャフシ−ブ              ２５    下側移送棚
２６    グレンシ−ブ              ２７    選別網
２８    案内板                    ２９    作動杆
３２    選別シ−ブ                ３４    作動杆
３５    連動杆                    ３６    調節穴
【図１】
2005151902.tif 000003
【図２】
2005151902.tif 000004
【図３】
2005151902.tif 000005
【図４】
2005151902.tif 000006
【図５】
2005151902.tif 000007
【図６】
2005151902.tif 000008
【図７】
2005151902.tif 000009
【図８】
2005151902.tif 000010
【図９】
2005151902.tif 000011
【図１０】
2005151902.tif 000012
【図１１】
2005151902.tif 000013
【図１２】
2005151902.tif 000014
【図１３】
2005151902.tif 000015
【図１４】
2005151902.tif 000016
【図１５】
2005151902.tif 000017
【図１６】
2005151902.tif 000018
【図１７】
2005151902.tif 000019
【図１８】
2005151902.tif 000020
【図１９】
2005151902.tif 000021